(57)【要約】  【課題】  折板屋根の強度が低くても適用できる折板屋根の緑化構造を提供する。  【解決手段】  植物生育基盤１および基盤流亡防止材３および非透水性シート４を、その上下に張設したシート状部材５，６により挟み込み、積層させてなる緑化構造体７を、折板屋根Ｒの上面に設置することで構成される。  【選択図】  図１
2004293285.tif 000002
【特許請求の範囲】
【請求項１】
植物生育基盤および基盤流亡防止材および非透水性シートを、その上下に張設したシート状部材により挟み込み、積層させてなる緑化構造体を、折板屋根の上面に設置することで構成されることを特徴とする折板屋根の緑化構造。
【請求項２】
折板屋根頂部とほぼ平行に張設される支持シート上に、下側から順に非透水性シート、基盤流亡防止材、植物生育基盤、飛散防止シートを積層させ、前記支持シートおよび飛散防止シートを連結具により連結することで一体化してなる緑化構造体を、折板屋根の上面に設置することで構成されることを特徴とする折板屋根の緑化構造。
【請求項３】
前記緑化構造体の端部を、折板屋根に設けた支持具により支持させてある請求項１または２に記載の折板屋根の緑化構造。
【発明の詳細な説明】
【技術分野】
【０００１】
本発明は、折板屋根上で緑化を図るための折板屋根の緑化構造に関する。
【背景技術】
【０００２】
【特許文献１】特開２０００−１６６３７５号公報
【特許文献２】特開平７−１１１８２９号公報
【０００３】
折板屋根上で緑化を図るための従来の折板屋根の緑化構造として、前記特許文献１に記載されているように、折板屋根の谷部に植物生育材料をセットし、この植物生育材料に植物を植えるものがある。
【０００４】
また、他の従来の折板屋根の緑化構造として、前記特許文献２に記載されているように、折板屋根の谷部内に取り付けられる培地支持板と、該谷部内において該培地支持板上に配設される培地とを具備してなるものがある。
【発明の開示】
【発明が解決しようとする課題】
【０００５】
しかし、前記特許文献１に記載されている緑化構造では、折板屋根の谷部を植物生育材料で充填して間詰めするように構成してあることから、前記谷部の形状等によっては、植物生育材料が大量に必要となるとともに、大量の植物生育材料を載せても壊れない強度の高い折板屋根にしか適用できず、また、前記折板屋根の谷部における滞水によって屋根材が早期に劣化してしまう虞がある。
【０００６】
また、前記特許文献２に記載されている緑化構造では、前記特許文献１の緑化構造に比べて、折板屋根の谷部に収容する培地の量は少なくなっているが、前記折板屋根の谷部に培地支持板など、各折板屋根の谷部の形状にあわせて作成した専用の部材を設置しなければならず、施工性が低いという問題がある。
【０００７】
さらに、前記特許文献１、２の緑化構造のいずれにおいても、植物生育材料、培地の重量が折板屋根の谷部に局地的（局部的）にかかることとなり、耐荷重が１００ｋｇ／ｍ2 程度である強度の低い折板屋根への適用が困難であり、また、折板屋根の頂部は緑化されない構成のため、折板屋根の全面緑化とならず、ストライプ状緑化となるという問題点がある。
【０００８】
本発明は上述の事柄に留意してなされたもので、その目的は、折板屋根の強度が低くても適用できる折板屋根の緑化構造を提供することである。
【課題を解決するための手段】
【０００９】
上記目的を達成するために、本発明の折板屋根の緑化構造は、植物生育基盤および基盤流亡防止材および非透水性シートを、その上下に張設したシート状部材により挟み込み、積層させてなる緑化構造体を、折板屋根の上面に設置することで構成される（請求項１）。
【００１０】
詳しくは、折板屋根頂部とほぼ平行に張設される支持シート上に、下側から順に非透水性シート、基盤流亡防止材、植物生育基盤、飛散防止シートを積層させ、前記支持シートおよび飛散防止シートを連結具により連結することで一体化してなる緑化構造体を、折板屋根の上面に設置することで構成される（請求項２）。
【００１１】
また、前記緑化構造体の端部を、折板屋根に設けた支持具により支持させてあることが好ましい（請求項３）。
【発明の効果】
【００１２】
上記の構成からなる本発明では、折板屋根の強度が低くても適用できる折板屋根の緑化構造を提供することができる。
【００１３】
すなわち、従来の緑化構造では、折板屋根に載せた植物生育材料、培地の重量が折板屋根の谷部に局地的・局部的にかかることとなっていたが、本発明の緑化構造では、植物生育基盤および基盤流亡防止材および非透水性シートを、その上下に張設されたシート状部材により挟み込み、連結具により一体化した状態とすることで前記緑化構造体を構成し、この緑化構造体を折板屋根の上面に設置することから、折板屋根にかかる緑化構造体の重量を折板屋根のほぼ全面にわたって均等に分散させることができ、折板屋根の強度が低くても施工することが可能となるのである。さらに、折板屋根の頂部の緑化が不可能であった上記従来の緑化構造とは異なり、本発明の緑化構造では、折板屋根の全面緑化を容易に実現できるのである。
【００１４】
また、従来の緑化構造では、折板屋根の谷部内に植物生育材料、培地を収容しており、降雨等により水分を吸収して最も重量を増すのが植物生育材料、培地であることから、降雨時などには、折板屋根に載せた植物生育材料、培地の重量が折板屋根の谷部に局部的にかかるという傾向が一段と強まるのであり、このようなことからも、従来の緑化構造の施工対象となる折板屋根の強度はかなり高くなければならなかったが、本発明の緑化構造では、降雨等によって水分を吸収する植物生育基盤および基盤流亡防止材の下側に非透水性シートを配置することから、降雨時などであっても、緑化構造体の重量を折板屋根のほぼ全面にわたって均等に分散させることができ、折板屋根の強度が低くても施工することが可能となるという効果が確保されることとなる。
【００１５】
さらに、前記緑化構造では、折板屋根の谷部に植物生育基盤を収容せず、上下に張設したシート状部材により挟み込み、積層させるようにしてあることから、用いる前記植物生育基盤の量を自由に調整できるのであり、従来の緑化構造のように、用いる植物生育材料や培地（植物生育基盤に相当）の量が、折板屋根の谷部の形状に依存し、ひいては大量の植物生育材料や培地が必要となるという虞がない。また、本発明の緑化構造では、折板屋根の形状に応じてその構成を変更するという必要もなく、施工性が非常に高まるのである。
【００１６】
また、前記緑化構造では、折板屋根の谷部にいわゆる間詰めをしないため、折板屋根の谷部に滞水が生じず、屋根が早期に劣化する心配がない。
【００１７】
請求項３のように構成した場合には、前記緑化構造体を、非常に安定した状態で折板屋根の上部に固定しておくことが可能となる。
【発明を実施するための最良の形態】
【００１８】
以下、本発明に対応する実施例を説明する。
図１は、本発明の一実施例に係る折板屋根の緑化構造（以下、緑化構造という）Ｄを構成する緑化構造体７の構成を概略的に示す縦断面図、図２、図３および図４は、前記緑化構造Ｄの構成を概略的に示す斜視図、説明図および縦断面図である。
前記緑化構造Ｄは、植物生育基盤１および植物マット２および基盤流亡防止材３および非透水性シート４を、その上側に張設され、植物生育基盤１や植物種子等の飛散を防止するためのシート状部材（以下、飛散防止シートという）５と、その下側に張設され、植物生育基盤１および植物マット２および基盤流亡防止材３および非透水性シート４を支持するためのシート状部材（以下、支持シートという）６とにより挟み込み、積層させてなる緑化構造体７を、前記折板屋根Ｒの上面に設置し、前記緑化構造体７の端部を、折板屋根Ｒに設けた支持具１１により支持させることで構成される。なお、前記シート状部材には、ネットも含まれる。
【００１９】
詳しくは、前記緑化構造体７は、折板屋根Ｒの頂部Ｒａ，Ｒａ…とほぼ平行に張設される支持シート６上に、下側から順に非透水性シート４、基盤流亡防止材３、植物生育基盤１、植物マット２、飛散防止シート５を積層させ、前記支持シート６および飛散防止シート５を連結具８，８…により連結することで一体化してなる。
【００２０】
前記折板屋根Ｒは、例えば金属板製で、山部Ｒｂ，Ｒｂ…と谷部Ｒｃ，Ｒｃ…とを有し、各山部Ｒｂの前記頂部Ｒａは、隣り合う頂部Ｒａ，Ｒａとほぼ同一平面上にあるように形成されている。
【００２１】
前記植物生育基盤１としては、・単位体積当たりの重量を軽くできる、・経時的な減少（目減り）をなるべく抑えることができる、・適度な保水性と通気性および十分な保肥力を併せ持ち、導入植物にとって良好な生育環境を実現できる、・性状的に難燃性を有する、などの性質や特徴を持っているものが適しているのであり、そのようなものとして、軽石や焼成真珠岩などのポーラスな無機質材と、ピートモスやバーク堆肥などの植物性の有機質材とを混合してなるものを植物生育基盤１として用いることが好ましい。
【００２２】
具体的には、軽石（ボラ石）と、焼成真珠岩と、ピートモスと、バーク堆肥と、酸性矯正のための焼却灰との混合物を前記植物生育基盤１として用いることができる。
【００２３】
そして、前記植物生育基盤１は、例えば、３〜５ｃｍの厚みをもつように前記基盤流亡防止材３の上に積層される。
【００２４】
前記植物マット２は、例えば、多肉植物を適宜に絡ませてマット状としたものである。なお、前記植物マット２を構成する植物としては、多肉植物に限られず、例えば、芝やツタ植物などを用いることができる。
【００２５】
前記基盤流亡防止材３は、ネットやマット、パネルなどに形成すればよく、いずれにしても、透水性および保水性を有し、かつ排水層としての効果を有するものが好ましい。また、緑化構造体７の保形性を維持できる程度の強度・耐久性を有するものが良い。
【００２６】
本実施例では、例えば、ペットボトルなどの合成樹脂製品のリサイクル資材を繊維化したものと、裁断屑の繊維と、回収衣類などの生地から得られる繊維の少なくとも一つを選択して、この繊維を発泡ポリウレタンによって固化し、かつ、裏面（前記非透水性シート４への設置面）に縦横の溝を形成するように、板状に圧縮成形してなるパッドからなる。
【００２７】
より具体的には、繊維（ポリエステル製のフェルト材）と発泡ポリウレタンとをほぼ半々の割合で混合し、蒸気熱で板状に固め、この固化物をプレス加工機に導入して、縦横がそれぞれ約１０００ｍｍ，厚みが約２０ｍｍの保水用パッドを圧縮成形してなり、この圧縮成形の際に、裏面に適宜の数の溝を縦横に形成し、全体の比重が０．１５〜０．５程度になるようにしている。
【００２８】
上記の構成からなる基盤流亡防止材３は、前記植生生育基盤１の流亡を防止するとともに、高い耐根機能を有することに加えて、保水性ならびに通水性の機能を併せ持ち、しかも裏面に形成された縦横の溝が基盤流亡防止材３を透過した余剰水の排出路を形成することから、排水性にも優れたものとなっている。また、前記溝によって基盤流亡防止材３の裏面に滑り止め機能もが付加されることとなっている。さらに、フェルト材を混入してあることにより、土中の菌類や水分などによる劣化を起こしにくい特性とも持ったものとなっている。
【００２９】
なお、前記基盤流亡防止材３の軽量化を図る場合には、例えば、前記基盤流亡防止材３を構成するパッドを穴あきパッドとしてもよい。
【００３０】
前記非透水性シート４は、例えば、厚さ１．３ｍｍ程度の薄い合成樹脂製の耐根シート（例えば塩化ビニールや非加硫ゴム系シートなど）からなる。この非透水性シート４は、防根機能だけでなく、前記植生生育基盤１や植物マット２が乾燥することを防止する乾燥防止機能をも果たすこととなる。
【００３１】
前記飛散防止シート５としては、合成樹脂製や天然繊維製のネットの他、例えば不織布からなるシートなどを適宜に採用することができる。また、後述する前記支持シート６と同様の高強度ネットを飛散防止シート５にも採用することができる。
【００３２】
前記支持シート（支持ネット）６としては、例えば、ジオテキスタイル用ネットなどの高強度のネットを用いることができる。
【００３３】
前記連結具８は、例えば、金属線、プラスチックベルトや、ボルトおよびナットの組み合わせなど、適宜の構成からなるものを用いることができるのであり、本実施例では、積層状態の植物生育基盤１、植物マット２、基盤流亡防止材３および非透水性シート４を挿通するピン部９ａを有するピン体９と、このピン体９のピン部９ａの一端に取り付けられる抜け止め体１０とによって前記連結具８を構成してある。
【００３４】
前記ピン体９は、前記ピン部９ａと、このピン部９ａの他端に連設され、折板屋根Ｒの頂部Ｒａの上面に接着剤など適宜の手段を用いて固定される板状の架台部９ｂとからなる。そして、前記ピン部９ａの一端（先端）付近の外周面には、周方向に設けられた溝部分９ｃ（図１参照）がピン体９の軸方向に複数並んで存在している。
【００３５】
前記抜け止め体１０は、中空でほぼ半球状をしており、底面には複数の切り込みが放射状に設けられてなる挿入部１０ａが形成されている。そして、前記ピン体９の一端（先端）を前記挿入部１０ａに挿入することによって抜け止め体１０がピン体９に固定された状態となる。
【００３６】
前記支持具１１は、断面Ｌ字形状をした金属製の部材であり、前記連結具８やボルト、接着剤など適宜の手段を用いて折板屋根Ｒの上面（頂部Ｒａ，Ｒａ…）に固定される固定部１１ａと、この固定部１１ａの端部から立設する垂直部１１ｂとを有している。そして、前記支持具１１の垂直部１１ｂの高さは、前記緑化構造体７の厚みよりも高くなるように構成されている。なお、前記支持具１１には、緑化構造体７の内部を流れてきた水（水分）を外部に排出するための排出口（図示せず）を設けておくことが望ましい。
【００３７】
次に、上記の構成からなる緑化構造Ｄを折板屋根Ｒに構築することで行える折板屋根の緑化方法について説明する。
前記緑化方法は、前記連結具８のピン体９の架台部９ｂと、前記支持具１１とを、それぞれ折板屋根Ｒの適宜の箇所に固定するステップ（以下、第１ステップという）と、前記支持シート６、非透水性シート４、基盤流亡防止材３、植物生育基盤１、植物マット２、飛散防止シート５を下側からこの順に積層させるステップ（以下、第２ステップという）と、前記支持シート６および飛散防止シート５を連結具８，８…により連結するステップ（以下、第３ステップという）とを有している。
【００３８】
前記第１ステップにおいて、前記支持具１１は、折板屋根Ｒにおいて緑化しようとする緑化部分を囲むように配置すればよく、前記ピン体９は、前記支持具１１によって囲まれた部分に適宜に設置すればよい。
【００３９】
前記第２ステップにおいて、まず最初に折板屋根Ｒの上に載置されることとなる前記支持シート６は、前記支持具１１を目安として支持具１１に囲まれた部分に配置すればよいのであり、このように張設された支持シート６の上に載置される非透水性シート４、基盤流亡防止材３、植物生育基盤１、植物マット２、飛散防止シート５は、前記支持シート６の上に順次重ねるだけでよく、非常に簡単にこのステップの作業を行えるのである。
【００４０】
前記第３ステップは、積層された前記支持シート６、非透水性シート４、基盤流亡防止材３、植物生育基盤１、植物マット２、飛散防止シート５を挿通してその上側に露出した前記ピン体９のピン部９ａの上部に前記抜け止め体１０を上述した方法により固定することで行える。そして、この第３ステップを終えることで、植物生育基盤１および植物マット２および基盤流亡防止材３および非透水性シート４は、その上下に張設されたシート状部材５，６により挟み込まれた状態となる。
【００４１】
上記の構成からなる緑化構造Ｄでは、折板屋根の強度が低くても適用できるのである。すなわち、従来の緑化構造では、折板屋根に載せた植物生育材料、培地の重量が折板屋根の谷部に局地的・局部的にかかることとなっていたが、本実施例の緑化構造Ｄでは、植物生育基盤１および植物マット２および基盤流亡防止材３および非透水性シート４を、その上下に張設された支持シート６および飛散防止シート５により挟み込み、連結具８，８…により一体化した状態とすることで前記緑化構造体７を構成し、この緑化構造体７を折板屋根Ｒの上面に設置することから、折板屋根Ｒにかかる緑化構造体７の重量を折板屋根Ｒのほぼ全面にわたって均等に分散させることができ、折板屋根の強度が低くても施工することが可能となるのである。さらに、折板屋根の頂部の緑化が不可能であった上記従来の緑化構造とは異なり、本実施例の緑化構造Ｄでは、折板屋根Ｒの全面緑化を容易に実現できるのである。
【００４２】
また、従来の緑化構造では、折板屋根の谷部内に植物生育材料、培地を収容しており、降雨等により水分を吸収して最も重量を増すのが植物生育材料、培地であることから、降雨時などには、折板屋根に載せた植物生育材料、培地の重量が折板屋根の谷部に局部的にかかるという傾向が一段と強まるのであり、このようなことからも、従来の緑化構造の施工対象となる折板屋根の強度はかなり高くなければならなかったが、本実施例の緑化構造Ｄでは、降雨等によって水分を吸収する植物生育基盤１、植物マット２および基盤流亡防止材３の下側に非透水性シート４を配置することから、降雨時などであっても、緑化構造体７の重量を折板屋根Ｒのほぼ全面にわたって均等に分散させることができ、折板屋根の強度が低くても施工することが可能となるという効果が確保されることとなる。
【００４３】
さらに、前記緑化構造Ｄでは、折板屋根Ｒの谷部Ｒｃに植物生育基盤１を収容せず、上下に張設したシート状部材５，６により挟み込み、積層させるようにしてあることから、用いる前記植物生育基盤１の量を自由に調整できるのであり、従来の緑化構造のように、必要となる植物生育材料や培地（植物生育基盤に相当）の量が、折板屋根の谷部の形状に依存し、ひいては大量の植物生育材料や培地が必要となるという虞がない。また、前記緑化構造Ｄでは、折板屋根Ｒの形状に応じてその構成を変更するという必要もなく、施工性が非常に高まるのである。
【００４４】
また、前記緑化構造Ｄでは、折板屋根Ｒの谷部Ｒｃにいわゆる間詰めをしないため、折板屋根Ｒの谷部Ｒｃに滞水が生じず、屋根が早期に劣化する心配がない。
【００４５】
また、前記緑化構造Ｄは、植物生育基盤１，基盤流亡防止材３などの各部材の軽量化を図ることが容易であり、非常に軽量（最大荷重６０ｋｇ／ｍ2 ）の施工によって折板屋根Ｒを緑化できるのである。そのため、既存建築物を緑化する場合、通常は耐荷重の計算が必要となるが、前記緑化構造Ｄの施工に用いる緑化構造体７は非常に軽量であることから、そのような荷重計算をしなくとも施工可能である。
【００４６】
また、前記緑化構造Ｄは、施工を簡単に行えるとともに、施工に用いる各部材が安価なものであることから、低コストで施工することが可能である。
【００４７】
また、前記緑化構造Ｄでは、前記支持具１１および連結具８によって安定した状態で折板屋根Ｒの上面に緑化構造体７を設置することが可能となる。
【００４８】
ここで、前記緑化構造Ｄの構築は、前記緑化構造体７を折板屋根Ｒの上面において形成することによって行うものに限られず、例えば、他の場所において前記植物生育基盤１および植物マット２および基盤流亡防止材３を組み合わせた緑化パネルＰ（図２参照）を予め形成しておき、施工時に、形成しておいた緑化パネルＰを折板屋根Ｒの上面に取り付けることで行うようにしてもよい。なお、前記緑化パネルＰは、植物マット２、植物生育基盤１および基盤流亡防止材３を上側からこの順に積層させてなるものであるが、前記緑化パネルＰはこのような構成に限られず、例えば、前記基盤流亡防止材３の下側に非透水性シート４を設けたものであってもよい。
【００４９】
また、前記植物マット２を設けずに、前記植物生育基盤１内に植物種子を混合しておくようにしてもよく、あるいは、前記飛散防止シート５を例えば不織布シートにより構成し、この飛散防止シート５に植物種子を担持（保持）させてもよい。更には、植物マット２に不織布シートやネットなどを予め絡合させたものを飛散防止シート５として用いることも可能である。
【図面の簡単な説明】
【００５０】
【図１】本発明の一実施例に係る折板屋根の緑化構造を構成する緑化構造体の構成を概略的に示す縦断面図である。
【図２】上記実施例の構成を概略的に示す斜視図である。
【図３】上記実施例の構成を概略的に示す説明図である。
【図４】上記実施例の構成を概略的に示す縦断面図である。
【符号の説明】
【００５１】
１  植物生育基盤
３  基盤流亡防止材
４  非透水性シート
５  飛散防止シート
６  支持シート
７  緑化構造体
Ｄ  緑化構造
Ｒ  折板屋根。
【図１】
2004293285.tif 000003
【図２】
2004293285.tif 000004
【図３】
2004293285.tif 000005
【図４】
2004293285.tif 000006